(57)【要約】【課題】形状に制約を受けない大気開放式の貯湯缶体を利用しながら、衛生的な給湯が行える給湯装置を提供する。【解決手段】加熱手段２で加熱された温水を貯湯する貯湯缶体１と、前記貯湯缶体１には少なくとも給水電磁弁１１を備えた供給管７が連通し、この給水電磁弁１１を貯湯缶体１内の水位を検知する水位検知手段１４で水位に応じて開閉し常に一定水位を保持して、貯湯缶体１上部に大気開放室１６を形成したもので、前記貯湯缶体１内には一方が給水管１９に連通と他方には給湯管２１が連通した給湯用熱交換器１７を備えたことにより、貯湯缶体の形状を扁平状にして設置スペースを取らず小さな隙間に容易に設置出来るものであり、更に給湯は貯湯缶体内の湯水と熱交換する給湯用熱交換器を介して供給されるので、加圧ポンプ不用であり、しかも衛生的で安心して使用出来るものである。【選択図】図１
2006275355.tif 000002
【特許請求の範囲】
【請求項１】
加熱手段で加熱された温水を貯湯する貯湯缶体と、前記貯湯缶体には少なくとも給水電磁弁を備えた供給管が連通し、この給水電磁弁を貯湯缶体内の水位を検知する水位検知手段で水位に応じて開閉し常に一定水位を保持して、貯湯缶体上部に大気開放室を形成したものに於いて、前記貯湯缶体内には一方が給水管に連通と他方には給湯管が連通した給湯用熱交換器を備えた事を特徴とする給湯装置。
【発明の詳細な説明】
【技術分野】
【０００１】
この発明は、貯湯缶体内に給水圧がかからずに、大気開放状態とした貯湯式の貯湯缶体内に給水圧が作用する給湯用熱交換器を備えた給湯装置に関するものである。
【背景技術】
【０００２】
従来よりこの種の開放式給湯装置では、機械式のボールタップ弁を利用することで、給水と縁切りして貯湯缶体内を大気開放状態として、使用圧力の制限をなくし、貯湯缶体の材料や構造を安価なものにするものであった。（例えば、特許文献１参照）
【特許文献１】実公昭６０−３５００４号公報
【発明の開示】
【発明が解決しようとする課題】
【０００３】
ところでこの従来のものでは、貯湯缶体内の貯湯水を直接給湯に使用する為に、給湯用の加圧ポンプが必要であり、又貯湯式であるので、衛生面に問題を有し積極的に使用されることがないものであった。
【課題を解決するための手段】
【０００４】
この発明はこの点に着目し、上記欠点を解決する為、特にその構成を、加熱手段で加熱された温水を貯湯する貯湯缶体と、前記貯湯缶体には少なくとも給水電磁弁を備えた給水管が連通し、この給水電磁弁を貯湯缶体内の水位を検知する水位検知手段で水位に応じて開閉し常に一定水位を保持して、貯湯缶体上部に大気開放室を形成したものに於いて、前記貯湯缶体内には一方が給水管に連通と他方には給湯管が連通した給湯用熱交換器を備えたものである。
【発明の効果】
【０００５】
この発明によれば、貯湯缶体内は水位検知手段による給水電磁弁の開閉制御で大気開放状態が維持出来、確実であり誤動作の心配がまったくなく常に安心して使用出来るものであり、貯湯缶体の形状を扁平状にして設置スペースを取らず小さな隙間に容易に設置出来るものであり、更に給湯は貯湯缶体内の湯水と熱交換する給湯用熱交換器を介して供給されるので、加圧ポンプ不用であり、しかも衛生的で安心して使用出来るものである。
【発明を実施するための最良の形態】
【０００６】
次にこの発明の給湯装置の一実施形態について説明する。
１は温水を貯湯する貯湯缶体、２は温水を加熱する加熱手段としてのヒートポンプユニット、３は浴槽である。
【０００７】
４は貯湯缶体１とヒートポンプユニット２を循環可能に接続する加熱循環回路で、加熱循環ポンプ５を有し貯湯缶体１の下部に接続されたヒーポン往き管４ａ及び貯湯缶体１上部に接続されたヒーポン戻り管４ｂより構成され、貯湯缶体１下部の冷水をヒーポン往き管４ａを介してヒートポンプユニット２で加熱し、加熱された高温の温水をヒーポン戻り管４ｂで貯湯缶体１上部に戻して貯湯缶体１内に温水を加熱貯湯するものである。なお、貯湯缶体１の外周面には縦に複数個の貯湯温度センサ６ａ、６ｂ、６ｃ、６ｄ、６ｅ、６ｆ、６ｇを有しており、この貯湯温度センサが所定温度以上を検出することで貯湯量を検知するものである。
【０００８】
７は貯湯缶体１に水を供給する供給管で、途中には貯湯缶体１側から２個の逆止弁８、９と給水圧で閉じられ断水による負圧で大気開放する逆流水開放弁１０と、給水の開始、停止を制御する給水電磁弁１１とが一つのセットとして備えられており、又給水電磁弁１１より給水側には異常遮断用の電磁弁１２と減圧逆止弁１３が備えられている。
【０００９】
１４は貯湯缶体１の上端から内方に垂下された２本の電極から成る水位検知手段で、３７０Ｌを貯湯する為に、貯湯量が下がればこれを検知して給水電磁弁１１を開成し水を補給し、そして所定量になればこれを検知して給水電磁弁１１を閉成し水の補給を停止するものであり、湯水の最上面と貯湯缶体１上端面との間には、エアー抜き管１５を介して大気開放された大気開放室１６が形成されている。
【００１０】
１７は貯湯缶体１の貯湯水内を下部から上部に掛けて備えられた蛇腹状の給湯用熱交換器で、一端を減圧逆止弁１３より上流側の水道管１８に直結した給水管１９に連通し、他端には先端に蛇口２０を備えた給湯管２１が連通し、給水圧で給湯を行うようにしたものであり、給湯管２１には他にフロースイッチ２２、流量カウンタ２３、給湯サーミスタ２４、給湯混合弁２５、湯温センサ２６が備えられ、更に給湯混合弁２５には給水管１９から分岐した給水バイパス管２７が接続し、湯水と給水とを設定温度の給湯となるように混合して供給するものである。
【００１１】
２８は貯湯缶体１内上部の湯水中に位置された風呂熱交換器で、風呂往き管２９と風呂戻り管３０を介して浴槽３と連通して、風呂の保温及び追い焚きを行う風呂循環回路３１を構成するもので、この風呂循環回路３１には水位センサー３２、風呂電動弁３３、風呂循環ポンプ３４、循環温サーミスタ３５、風呂フロースイッチ３６、風呂熱交換器２８のバイパス路を形成する風呂保温三方弁３７、追い焚き検知サーミスタ３８とが備えられている。
【００１２】
３９は給湯管２１の給湯混合弁２５より上流側と風呂循環回路３１を結ぶ湯張り回路で、給湯水に給水を混ぜて風呂設定温度に設定する風呂混合弁４０と、湯張り電磁弁４１、風呂流量カウンタ４２、風呂逆流開放弁４３、２個の逆止弁４４、４５がそれぞれ備えられている。
【００１３】
次に、この給湯装置の作動を以下に説明する。
前記貯湯缶体１内の湯水は、時間帯別電灯契約や深夜電力等の安価な電力を利用し、ヒートポンプユニット２に加熱循環回路４を介して順次循環させることで、翌朝には９０℃の湯水を３７０Ｌ貯湯するものである。
【００１４】
そして、蛇口２０を開くと給湯用熱交換器１７内に給水圧による湯水の流れが出来、該給湯用熱交換器１７で貯湯缶体１内の高温水と熱交換した湯水が給湯管２１を流通し、湯温センサ２６及び給湯サーミスタ２４による湯温検知で、給湯混合弁２５による給水と湯水の混合量を調整して設定温度の給湯を蛇口２０から順次供給するものである。
【００１５】
一方貯湯缶体１では、貯湯温水が減少することにより、水位検知手段１４がこれを検知して給水電磁弁１１を開成することで、供給管７から貯湯缶体１底部へ給水圧で補水がなされ貯湯水位が上昇し所定水位に達すると、水位検知手段１４がこれを検知して給水電磁弁１１を閉成して給水が停止されるものである。
【００１６】
又この供給管７には、２個の逆止弁８、９があり、しかも給水電磁弁１１がその上流側に備えられているので、貯湯缶体１内の湯水の逆流は確実に阻止されるものであり、更に断水等による負圧に対しては、給水電磁弁１１で遮断するが、給水時については、逆流水開放弁１０が給水圧がなくなることで開放して、負圧が解消されることで、逆流が確実に防止されるものであり、水位検知手段１４による貯湯缶体１の水位を見ながらの給水電磁弁１１の制御で、貯湯缶体１に給水圧がかからない給湯を、機械的な部品の使用をなくして信頼性の高い構成で実現したので、貯湯缶体１の形状や材料を強度をあまり気にすることなく、容易に変更出来、安価に提供出来ると共に、故障等の心配もなく安心して使用出来るものである。
【００１７】
このように、大気に開放した貯湯缶体１内に高温水を貯湯し、この高温水と熱交換した温水を給湯に使用することで、衛生的で安心の給湯を得ることが出来るものであり、しかも貯湯缶体の形状に制約を受けず扁平状にして設置スペースを取らず小さな隙間に容易に設置出来るものである。
【図面の簡単な説明】
【００１８】
【図１】この発明の一実施形態の概略構成図。
【符号の説明】
【００１９】
１  貯湯缶体
２  ヒートポンプユニット（加熱手段）
７  供給管
１１  給水電磁弁
１４  水位検知手段
１６  大気開放室
１７  給湯用熱交換器
１９  給水管
２１  給湯管
【図１】
2006275355.tif 000003